(57)【要約】  【課題】  事前に処理に利用したメディアに格納された画像データに基づいてプリント処理を行う場合に、利用者が、プリント処理における操作入力を容易に行うことのできる画像形成装置およびその制御方法を提供する。  【解決手段】  メディア２がメディア処理部１０に挿入される毎に、識別情報取得部１２がメディア２に予め付与された識別情報２０を取得する。そして、画像形成部１７でプリント処理を実行した際に、該処理内容を識別情報２０と関連付けて処理内容記憶部１６に記憶する。また、メディア２がメディア処理部１０に挿入された際に、画像形成制御部１３が、メディア２の識別情報２０に対応する処理内容を処理内容記憶部１６から検索し、識別情報２０に対応する処理内容が存在した場合に、その処理内容に応じたプリント処理の処理条件を設定する。【選択図】        図１
2006082509.tif 000002
【特許請求の範囲】
【請求項１】
挿入された可搬形の記録媒体に記録された画像データを読み出し、該読み出した画像データに基づいて用紙上に画像を形成する画像形成装置において、
記録媒体が挿入された際に、該記録媒体に予め付与された識別情報を取得する識別情報取得手段と、
画像形成処理を実行した際に、該処理内容を前記識別情報取得手段が取得した識別情報と関連付けて記憶する処理内容記憶手段と、
記録媒体が挿入された際に、前記処理内容記憶手段から前記識別情報取得手段が取得した識別情報に対応する処理内容を検索し、該識別情報に対応する処理内容が存在した場合に、該処理内容に応じた画像形成の処理条件を設定する処理条件設定手段と
を具備することを特徴とする画像形成装置。
【請求項２】
前記処理内容記憶手段は、画像形成処理を実行した際の属性設定を前記処理内容として記憶し、
前記処理条件設定手段は、前記属性設定を新たな画像生成処理を行う際の属性として設定する
ことを特徴とする請求項１記載の画像形成装置。
【請求項３】
前記処理内容記憶手段は、画像形成処理内容の対象となった画像データを特定する画像特定情報を前記処理内容として記憶し、
前記処理条件設定手段は、前記画像特定情報で特定される画像データ以外の画像データを新たな画像形成処理の対象として選択する
ことを特徴とする請求項１記載の画像形成装置。
【請求項４】
前記処理内容記憶手段は、画像形成処理内容の対象となった画像データを特定する画像特定情報を前記処理内容として記憶し、
前記処理条件設定手段は、前記画像特定情報で特定される画像データを新たな画像形成処理の対象として選択する
ことを特徴とする請求項１記載の画像形成装置。
【請求項５】
前記処理内容記憶手段は、画像形成処理内容の対象となった画像データを特定する画像特定情報を前記処理内容として記憶し、
前記処理条件設定手段は、前記画像特定情報で特定される画像データと、該特定される画像データ以外の画像データとのいずれかを利用者に選択させ、該選択された画像データを新たな画像形成処理の対象とする
ことを特徴とする請求項１記載の画像形成装置。
【請求項６】
前記処理内容記憶手段は、前記記録媒体に記録されている画像データを特定する画像特定情報を前記処理内容として記憶し、
前記処理条件設定手段は、前記画像特定情報で特定される画像データ以外の画像データを新たな画像形成処理の対象として選択する
ことを特徴とする請求項１記載の画像形成装置。
【請求項７】
前記処理内容記憶手段は、画像形成処理が実行される毎に、前記処理内容を更新することを特徴とする請求項１記載の画像形成装置。
【請求項８】
前記処理内容記憶手段は、画像形成処理が実行される毎に、前記処理内容を追加して記憶し、
前記処理条件設定手段は、前記処理内容のいずれかを利用者に選択させ、該選択された処理内容に応じた画像形成の処理条件を設定する
ことを特徴とする請求項１記載の画像形成装置。
【請求項９】
挿入された可搬形の記録媒体に記録された画像データを読み出し、該読み出した画像データに基づいて用紙上に画像を形成する画像形成装置の制御方法であって、
記録媒体が挿入される毎に、該記録媒体に予め付与された識別情報を取得し、
画像形成処理を実行した際に、該処理内容を前記識別情報と関連付けて記憶手段に記憶し、
記録媒体が挿入された際に、前記記憶手段から該挿入された記録媒体の識別情報に対応する処理内容を検索し、該識別情報に対応する処理内容が存在した場合に、該処理内容に応じた画像形成の処理条件を設定する
ことを特徴とする画像形成装置の制御方法。
【請求項１０】
前記処理内容は、画像形成処理を実行した際の属性設定であり、該属性設定を新たな画像生成処理を行う際の属性として設定することを特徴とする請求項９記載の画像形成装置の制御方法。
【請求項１１】
前記処理内容は、画像形成処理内容の対象となった画像データを特定する画像特定情報であり、該画像特定情報で特定される画像データ以外の画像データを新たな画像形成処理の対象として選択することを特徴とする請求項９記載の画像形成装置の制御方法。
【請求項１２】
前記処理内容は、画像形成処理内容の対象となった画像データを特定する画像特定情報であり、該画像特定情報で特定される画像データを新たな画像形成処理の対象として選択することを特徴とする請求項９記載の画像形成装置の制御方法。
【請求項１３】
前記処理内容は、画像形成処理内容の対象となった画像データを特定する画像特定情報であり、該画像特定情報で特定される画像データと該画像特定情報で特定される画像データ以外の画像データとのいずれかを利用者に選択させ、該選択された画像データを新たな画像形成処理の対象とすることを特徴とする請求項９記載の画像形成装置の制御方法。
【請求項１４】
前記処理内容は、前記記録媒体に記録されている画像データを特定する画像特定情報であり、該画像特定情報で特定される画像データ以外の画像データを新たな画像形成処理の対象として選択することを特徴とする請求項９記載の画像形成装置の制御方法。
【請求項１５】
画像形成処理が実行される毎に、前記処理内容を更新することを特徴とする請求項９記載の画像形成装置の制御方法。
【請求項１６】
画像形成処理が実行される毎に、該画像形成処理の処理内容を前記処理内容として追加し、該処理内容のいずれかを利用者に選択させ、該選択された処理内容に応じた画像形成の処理条件を設定することを特徴とする請求項９記載の画像形成装置の制御方法。
【発明の詳細な説明】
【技術分野】
【０００１】
本発明は、画像形成装置およびその制御方法に関し、特に、画像形成時のパラメータ設定や画像形成対象となる画像データの選択を容易とする画像形成装置およびその制御方法に関する。
【背景技術】
【０００２】
近年、撮影した画像を画像データとして記録するデジタルカメラが広く普及してきている。これに伴って、デジタルカメラで撮影した画像データを用紙にプリントするプリンタ等の画像形成装置が、家庭用と業務用を問わず、提供されている。
【０００３】
このような画像形成装置は、一般に、単独若しくはパーソナルコンピュータ等と接続されて利用される。そして、画像形成装置本体若しくはパーソナルコンピュータの画面に、メディアに記録されている画像データの一覧を表示し、この一覧から操作者が所望の画像をプリント対象として選択する操作を行うことで、所望の画像がプリントされる（例えば、特許文献１、特許文献２、特許文献３参照）。
【特許文献１】特開２０００−２９５５６２号公報
【特許文献２】特開２００１−３１２５５２号公報
【特許文献３】特開２００３−７６７７２号公報
【発明の開示】
【発明が解決しようとする課題】
【０００４】
ところで、メディアに記録されている画像データに基づいたプリントを行う際は、一度プリントを行った後で、再度、同じメディアからのプリントを行う場合には、利用者は、前回と同じパラメータを設定したり、前回プリントを行わなかった画像データを利用したりと、前回の処理が今回の処理に何らかの影響を及ぼすことが多い。
【０００５】
しかしながら、前回にどのような処理を行ったとしても、従来の画像形成装置では、前回の処理内容に関わらず、プリント処理の都度、利用者がパラメータの設定等を行う必要がある。
【０００６】
そこで、本発明は、事前に処理に利用したメディアに格納された画像データに基づいてプリント処理を行う場合に、利用者が、プリント処理における操作入力を容易に行うことのできる画像形成装置およびその制御方法を提供することを目的とする。
【課題を解決するための手段】
【０００７】
上述した目的を達成するため、請求項１の発明は、挿入された可搬形の記録媒体に記録された画像データを読み出し、該読み出した画像データに基づいて用紙上に画像を形成する画像形成装置において、記録媒体が挿入された際に、該記録媒体に予め付与された識別情報を取得する識別情報取得手段と、画像形成処理を実行した際に、該処理内容を前記識別情報取得手段が取得した識別情報と関連付けて記憶する処理内容記憶手段と、記録媒体が挿入された際に、前記処理内容記憶手段から前記識別情報取得手段が取得した識別情報に対応する処理内容を検索し、該識別情報に対応する処理内容が存在した場合に、該処理内容に応じた画像形成の処理条件を設定する処理条件設定手段とを具備することを特徴とする。
【０００８】
また、請求項２の発明は、請求項１の発明において、前記処理内容記憶手段は、画像形成処理を実行した際の属性設定を前記処理内容として記憶し、前記処理条件設定手段は、前記属性設定を新たな画像生成処理を行う際の属性として設定することを特徴とする。
【０００９】
また、請求項３の発明は、請求項１の発明において、前記処理内容記憶手段は、画像形成処理内容の対象となった画像データを特定する画像特定情報を前記処理内容として記憶し、前記処理条件設定手段は、前記画像特定情報で特定される画像データ以外の画像データを新たな画像形成処理の対象として選択することを特徴とする。
【００１０】
また、請求項４の発明は、請求項１の発明において、前記処理内容記憶手段は、画像形成処理内容の対象となった画像データを特定する画像特定情報を前記処理内容として記憶し、前記処理条件設定手段は、前記画像特定情報で特定される画像データを新たな画像形成処理の対象として選択することを特徴とする。
【００１１】
また、請求項５の発明は、請求項１の発明において、前記処理内容記憶手段は、画像形成処理内容の対象となった画像データを特定する画像特定情報を前記処理内容として記憶し、前記処理条件設定手段は、前記画像特定情報で特定される画像データと、該特定される画像データ以外の画像データとのいずれかを利用者に選択させ、該選択された画像データを新たな画像形成処理の対象とすることを特徴とする。
【００１２】
また、請求項６の発明は、請求項１の発明において、前記処理内容記憶手段は、前記記録媒体に記録されている画像データを特定する画像特定情報を前記処理内容として記憶し、前記処理条件設定手段は、前記画像特定情報で特定される画像データ以外の画像データを新たな画像形成処理の対象として選択することを特徴とする。
【００１３】
また、請求項７の発明は、請求項１の発明において、前記処理内容記憶手段は、画像形成処理が実行される毎に、前記処理内容を更新することを特徴とする。
【００１４】
また、請求項８の発明は、請求項１の発明において、前記処理内容記憶手段は、画像形成処理が実行される毎に、前記処理内容を追加して記憶し、前記処理条件設定手段は、前記処理内容のいずれかを利用者に選択させ、該選択された処理内容に応じた画像形成の処理条件を設定することを特徴とする。
【００１５】
また、請求項９の発明は、挿入された可搬形の記録媒体に記録された画像データを読み出し、該読み出した画像データに基づいて用紙上に画像を形成する画像形成装置の制御方法であって、記録媒体が挿入される毎に、該記録媒体に予め付与された識別情報を取得し、画像形成処理を実行した際に、該処理内容を前記識別情報と関連付けて記憶手段に記憶し、記録媒体が挿入された際に、前記記憶手段から該挿入された記録媒体の識別情報に対応する処理内容を検索し、該識別情報に対応する処理内容が存在した場合に、該処理内容に応じた画像形成の処理条件を設定することを特徴とする。
【００１６】
また、請求項１０の発明は、請求項９の発明において、前記処理内容は、画像形成処理を実行した際の属性設定であり、該属性設定を新たな画像生成処理を行う際の属性として設定することを特徴とする。
【００１７】
また、請求項１１の発明は、請求項９の発明において、前記処理内容は、画像形成処理内容の対象となった画像データを特定する画像特定情報であり、該画像特定情報で特定される画像データ以外の画像データを新たな画像形成処理の対象として選択することを特徴とする。
【００１８】
また、請求項１２の発明は、請求項９の発明において、前記処理内容は、画像形成処理内容の対象となった画像データを特定する画像特定情報であり、該画像特定情報で特定される画像データを新たな画像形成処理の対象として選択することを特徴とする。
【００１９】
また、請求項１３の発明は、請求項９の発明において、前記処理内容は、画像形成処理内容の対象となった画像データを特定する画像特定情報であり、該画像特定情報で特定される画像データと該画像特定情報で特定される画像データ以外の画像データとのいずれかを利用者に選択させ、該選択された画像データを新たな画像形成処理の対象とすることを特徴とする。
【００２０】
また、請求項１４の発明は、請求項９の発明において、前記処理内容は、前記記録媒体に記録されている画像データを特定する画像特定情報であり、該画像特定情報で特定される画像データ以外の画像データを新たな画像形成処理の対象として選択することを特徴とする。
【００２１】
また、請求項１５の発明は、請求項９の発明において、画像形成処理が実行される毎に、前記処理内容を更新することを特徴とする。
【００２２】
また、請求項１６の発明は、請求項９の発明において、画像形成処理が実行される毎に、該画像形成処理の処理内容を前記処理内容として追加し、該処理内容のいずれかを利用者に選択させ、該選択された処理内容に応じた画像形成の処理条件を設定することを特徴とする。
【発明の効果】
【００２３】
本発明によれば、メディアが挿入される毎に、該メディアに予め付与された識別情報を取得し、プリント処理を実行した際に、該処理内容を前記識別情報と関連付けて記憶手段に記憶し、メディアが挿入された際に、該挿入されたメディアの識別情報に対応する処理内容を記憶手段から検索し、該識別情報に対応する処理内容が存在した場合に、該処理内容に応じたプリント処理の処理条件を設定するように構成したので、事前に処理に利用したメディアに格納された画像データに基づいてプリント処理を行う場合に、利用者は、プリント処理における操作入力を容易に行うことができる。
【発明を実施するための最良の形態】
【００２４】
以下、本発明に係る画像形成装置およびその制御方法の一実施の形態について、添付図面を参照して詳細に説明する。
【実施例１】
【００２５】
図１は、本発明を適用した画像形成装置の機能的な構成を示すブロック図である。同図に示すように、画像形成装置１は、メディア処理部１０と、画像データ取得部１１、識別情報取得部１２、画像形成制御部１３、表示部１４、操作入力部１４、画像形成部１５、処理内容記憶部１６を具備して構成される。
【００２６】
メディア処理部１０は、メモリや光ディスク等のメディア２から画像データ等の各種データの読み出しを行う。このメディア処理部１０は、実際には、各種のメディアに応じた読取装置またはその集合で構成される。
【００２７】
画像データ取得部１１は、メディア処理部１０が読み出したデータのうち、画像データを取得する。識別情報取得部１２は、メディア処理部１０が読み出したデータのうち、メディア２に固有の識別情報２０を取得する。この識別情報２０は、メディア２の製造段階等、予め付されたものである。画像形成制御部１３は、プリント対象となる画像データの選択や画像データに対する補正処理、プリント枚数等の設定を行うとともに、画像形成部１７の制御を行う。これら画像データ取得部１１、識別情報取得部１２、画像形成制御部１３は、実際には、プロセッサ等のハードウェアと、これらを動作させるソフトウェア若しくはファームウェアにより構成される。
【００２８】
表示部１４は、画像形成装置１の利用者に対して各種の情報を提供する。操作入力部１５は、画像形成装置１の利用者からの指示や操作等の入力を受け付ける。表示部１４は、実際には、ディスプレイ等の表示装置で構成され、操作入力部１５は、キーデバイス等の入力装置で構成される。また、表示部１４と操作入力部１５は、タッチパネル式ディスプレイ等で両者を一体として構成することもできる。
【００２９】
処理内容記憶部１６は、プリント処理を実行した際に、その処理内容を識別情報２０と関連付けて記憶する。この処理内容記憶部１６は、実際には、ハードディスク装置等の記憶装置で構成される。
【００３０】
画像形成部１７は、画像形成制御部１３の指示に従って、用紙上に画像を形成する。この画像形成部１７は、従来から利用されているプリンタ等と同様の構成を有するものである。
【００３１】
次に、画像形成装置１の動作を説明する。図２は、画像形成装置１の動作の流れを示すフローチャートである。
【００３２】
画像形成装置１が動作を開始し、メディア処理部１０にメディア２が挿入されると（ステップ１００でＹＥＳ）、まず、識別情報取得部１２が、メディア処理部１０を介してメディア２から識別情報２０を取得する（ステップ１０１）。続いて、画像形成制御部１３が、取得した識別情報２０に対応する処理情報を処理内容記憶部１６から検索する（ステップ１０２）。
【００３３】
ここで、取得した識別情報２０に対応する処理情報が処理内容記憶部１６に記憶されていなかった場合、例えば、挿入されたメディア２が、この画像形成装置１に初めて挿入された場合等には（ステップ１０３でＮＯ）、画像データ取得部１１がメディア処理部１０を介してメディア２から画像データを取得して画像形成制御部１３がその縮小画像を表示部１４に表示してプリント対象となる画像を選択させる等のプリント準備を行う（ステップ１０４）。
【００３４】
次に、画像形成制御部１３は、利用者からプリント実行の指示が入力されるまで、利用者が操作入力部１５から入力する各種補正値やプリント枚数、プリント対象画像の選択等の指示を受け付けて設定する（ステップ１０５、ステップ１０６でＮＯ）。そして、利用者が操作入力部１５からプリントの実行指示を入力すると（ステップ１０６でＹＥＳ）、画像形成制御部１３は、補正等の処理を施した画像データを画像形成部１７へ渡して、画像形成部１７にプリント処理を実行させる（ステップ１０７）。
【００３５】
プリント処理が終了すると、画像形成制御部１３は、プリント処理の際に利用した属性設定、例えば、明度やコントラスト、彩度、カラーバランス、色温度、ガンマ補正等の各値を処理情報として、識別情報２０と関連付けて、処理内容記憶部１６に記憶させ（ステップ１０８）、処理を終了する。
【００３６】
一方、ステップ１０２で処理情報を検索した結果、取得した識別情報２０に対応する処理情報が処理内容記憶部１６に記憶されていた場合には（ステップ１０３でＹＥＳ）、画像形成制御部１３は、該当する処理情報を処理内容記憶部１６から取得し（ステップ１０９）、取得した処理情報、つまり、明度やコントラスト、彩度、カラーバランス、色温度、ガンマ補正等の各値をプリント条件として設定する（ステップ１１０）。
【００３７】
そして、画像データ取得部１１がメディア処理部１０を介してメディア２から画像データを取得して画像形成制御部１３がその縮小画像を表示部１４に表示してプリント対象となる画像を選択させる等のプリント準備を行い（ステップ１０４）、画像形成制御部１３は、利用者からプリント実行の指示が入力されるまで、利用者が操作入力部１５から入力する各種補正値やプリント枚数、プリント対象画像の選択等の指示を受け付けて設定する（ステップ１０５、ステップ１０６でＮＯ）。
【００３８】
その後、利用者が操作入力部１５からプリントの実行指示を入力すると（ステップ１０６でＹＥＳ）、画像形成制御部１３は、補正等の処理を施した画像データを画像形成部１７へ渡して、画像形成部１７にプリント処理を実行させる（ステップ１０７）。
【００３９】
プリント処理が終了すると、画像形成制御部１３は、プリント処理の際に利用した属性設定を新たな処理情報として識別情報２０と関連付け、処理内容記憶部１６に記憶されている処理情報を更新し（ステップ１０８）、処理を終了する。
【００４０】
このような処理を行うことにより、利用者は、一度プリントを行った際に設定した属性を、同じメディアを利用してプリントを行う場合に再利用することができる。このことは、同じデジタルカメラで撮影した画像に対して同じ利用者が属性を設定した場合には、その属性が同様の傾向を示す点を考慮すると、利用者にとって、属性設定の手間が省けるといった利点となる。
【００４１】
また、前述の説明では、処理内容記憶部１６に識別情報２０と関連付けて記憶する処理情報が、明度やコントラスト、彩度、カラーバランス、色温度、ガンマ補正等の属性設定であるものとしたが、処理情報としては、別の情報を記憶させることもできる。
【００４２】
例えば、処理情報として、プリントの対象となった画像データを特定するファイル名等を記憶し、同じメディア２が挿入された場合に、ステップ１１０のプリント条件の設定処理で、前回プリント対象とならなかった画像データをプリント対象として設定したり、その逆に、前回プリント対象となった画像データを再度プリント対象として設定したりすることもできる。
【００４３】
また、処理情報として、プリント処理を実行した際に、メディア２に記録されていた画像データを特定するファイル名等を記憶し、同じメディア２が挿入された場合に、ステップ１１０のプリント条件の設定処理で、前回のプリント処理時点以降に、新たに記録された画像データをプリント対象として設定することができる。
【００４４】
この他にも、これらの情報の複数を処理情報として記憶させることも可能である。
【実施例２】
【００４５】
実施例２は、実施例１で説明した画像形成装置１に、実施例１の場合とは異なる動作を行わせる場合の例である。したがって、実施例２においても、画像形成装置１の構成については、図１を参照して説明を行う。図３は、実施例２における画像形成装置１の動作の流れを示すフローチャートである。
【００４６】
画像形成装置１が動作を開始し、メディア処理部１０にメディア２が挿入されると（ステップ２００でＹＥＳ）、まず、識別情報取得部１２が、メディア処理部１０を介してメディア２から識別情報２０を取得する（ステップ２０１）。続いて、画像形成制御部１３が、取得した識別情報２０に対応する処理情報を処理内容記憶部１６から検索する（ステップ２０２）。
【００４７】
ここで、取得した識別情報２０に対応する処理情報が処理内容記憶部１６に記憶されていなかった場合、例えば、挿入されたメディア２が、この画像形成装置１に初めて挿入された場合等には（ステップ２０３でＮＯ）、画像データ取得部１１がメディア処理部１０を介してメディア２から画像データを取得して画像形成制御部１３がその縮小画像を表示部１４に表示してプリント対象となる画像を選択させる等のプリント準備を行う（ステップ２０４）。
【００４８】
次に、画像形成制御部１３は、利用者からプリント実行の指示が入力されるまで、利用者が操作入力部１５から入力する各種補正値やプリント枚数、プリント対象画像の選択等の指示を受け付けて設定する（ステップ２０５、ステップ２０６でＮＯ）。そして、利用者が操作入力部１５からプリントの実行指示を入力すると（ステップ２０６でＹＥＳ）、画像形成制御部１３は、補正等の処理を施した画像データを画像形成部１７へ渡して、画像形成部１７にプリント処理を実行させる（ステップ２０７）。
【００４９】
プリント処理が終了すると、画像形成制御部１３は、プリント処理の際に利用した属性設定やプリント対象となった画像データを特定する情報等のいずれかまたはその複数の情報を、処理情報として識別情報２０と関連付けて、処理内容記憶部１６に記憶させ（ステップ２０８）、処理を終了する。
【００５０】
一方、ステップ２０２で処理情報を検索した結果、取得した識別情報２０に対応する処理情報が処理内容記憶部１６に記憶されていた場合には（ステップ２０３でＹＥＳ）、画像形成制御部１３は、該当する処理情報を処理内容記憶部１６から取得し（ステップ２０９）、取得した処理情報に基づいて、利用者にプリント条件を選択させるための画面を、表示部１４に表示する（ステップ２１０）。
【００５１】
この画面は、例えば、処理情報として属性設定が記憶されている場合には、図４（ａ）に示す画面２５０のように、「前回プリント時のパラメータを利用する」といった選択肢２５１と、「前回プリント時のパラメータを利用しない」といった選択肢２５２が表示されたものとなる。
【００５２】
また、処理情報としてプリント対象となった画像データを特定する情報が記憶されている場合には、図４（ｂ）に示す画面２６０のように、「前回プリントしなかった画像をプリントする」といった選択肢２６１と、「前回プリントした画像を再プリントする」といった選択肢２６２、「新たに画像を選択してプリントする」といった選択肢２６３が表示されたものとなる。
【００５３】
これに応じて、利用者が条件を選択すると（ステップ２１１でＹＥＳ）、その条件が画像形成装置１の初期値を指定するものでなければ（ステップ２１２でＮＯ）、画像形成制御部１３は、利用者により指定された条件をプリント条件として設定する（ステップ２１３）。画像形成装置１の初期値を指定する条件とは、記憶されていた処理情報と無関係な条件で、例えば、図４（ａ）に示した画面２５０の場合には、選択肢２５２の「前回プリント時のパラメータを利用しない」であり、図４（ｂ）に示した画面２６０の場合には、選択肢２６３の「新たに画像を選択してプリントする」である。
【００５４】
その後、画像データ取得部１１がメディア処理部１０を介してメディア２から画像データを取得して画像形成制御部１３がその縮小画像を表示部１４に表示してプリント対象となる画像を選択させる等のプリント準備を行い（ステップ２０４）、画像形成制御部１３は、利用者からプリント実行の指示が入力されるまで、利用者が操作入力部１５から入力する各種補正値やプリント枚数、プリント対象画像の選択等の指示を受け付けて設定する（ステップ２０５、ステップ２０６でＮＯ）。
【００５５】
そして、利用者が操作入力部１５からプリントの実行指示を入力すると（ステップ２０６でＹＥＳ）、画像形成制御部１３は、補正等の処理を施した画像データを画像形成部１７へ渡して、画像形成部１７にプリント処理を実行させる（ステップ２０７）。
【００５６】
プリント処理が終了すると、画像形成制御部１３は、プリント処理の際に利用した属性設定やプリント対象となった画像データを特定する情報等のいずれかまたはその複数の情報を、新たな処理情報として識別情報２０と関連付け、処理内容記憶部１６に記憶されている処理情報を更新し（ステップ２０８）、処理を終了する。
【実施例３】
【００５７】
実施例３は、実施例１で説明した画像形成装置１に、実施例１の場合とは異なる動作を行わせる場合の例である。したがって、実施例３においても、画像形成装置１の構成については、図１を参照して説明を行う。図５は、実施例３における画像形成装置１の動作の流れを示すフローチャートである。
【００５８】
画像形成装置１が動作を開始し、メディア処理部１０にメディア２が挿入されると（ステップ３００でＹＥＳ）、まず、識別情報取得部１２が、メディア処理部１０を介してメディア２から識別情報２０を取得する（ステップ３０１）。続いて、画像形成制御部１３が、取得した識別情報２０に対応する処理情報を処理内容記憶部１６から検索する（ステップ３０２）。
【００５９】
ここで、取得した識別情報２０に対応する処理情報が処理内容記憶部１６に記憶されていなかった場合、例えば、挿入されたメディア２が、この画像形成装置１に初めて挿入された場合等には（ステップ３０３でＮＯ）、画像データ取得部１１がメディア処理部１０を介してメディア２から画像データを取得して画像形成制御部１３がその縮小画像を表示部１４に表示してプリント対象となる画像を選択させる等のプリント準備を行う（ステップ３０４）。
【００６０】
次に、画像形成制御部１３は、利用者からプリント実行の指示が入力されるまで、利用者が操作入力部１５から入力する各種補正値やプリント枚数、プリント対象画像の選択等の指示を受け付けて設定する（ステップ３０５、ステップ３０６でＮＯ）。そして、利用者が操作入力部１５からプリントの実行指示を入力すると（ステップ３０６でＹＥＳ）、画像形成制御部１３は、補正等の処理を施した画像データを画像形成部１７へ渡して、画像形成部１７にプリント処理を実行させる（ステップ３０７）。
【００６１】
プリント処理が終了すると、画像形成制御部１３は、プリント処理の際に利用した属性設定やプリント対象となった画像データを特定する情報等のいずれかまたはその複数の情報を、処理情報として識別情報２０と関連付けて、処理内容記憶部１６に記憶させ（ステップ３０８）、処理を終了する。
【００６２】
一方、ステップ３０２で処理情報を検索した結果、取得した識別情報２０に対応する処理情報が処理内容記憶部１６に記憶されていた場合には（ステップ３０３でＹＥＳ）、画像形成制御部１３は、該当する処理情報を全て処理内容記憶部１６から取得し（ステップ３０９）、取得した処理情報に基づいて、利用者にプリント条件を選択させるための画面を、表示部１４に表示する（ステップ３１０）。
【００６３】
この画面は、例えば、図６に示す画面３５０のように、「８月１０日プリント時の設定を利用する」といった選択肢３５１と、「８月２８日プリント時の設定を利用する」といった選択肢３５２、「９月１６日プリント時の設定を利用する」といった選択肢３５３、「新たに設定を行う」といった選択肢３５４が表示されたものとなる。なお、図６には、示していないが、画面３５０では、各選択肢に対応する設定の詳細を確認することができるようになっている。
【００６４】
これに応じて、利用者が条件を選択すると（ステップ３１１でＹＥＳ）、その条件が画像形成装置１の初期値を指定するものでなければ（ステップ３１２でＮＯ）、画像形成制御部１３は、利用者により指定された条件をプリント条件として設定する（ステップ３１３）。画像形成装置１の初期値を指定する条件とは、記憶されていた処理情報と無関係な条件で、例えば、図６に示した画面３５０の場合には、選択肢３５４の「新たに設定を行う」が相当する。
【００６５】
その後、画像データ取得部１１がメディア処理部１０を介してメディア２から画像データを取得して画像形成制御部１３がその縮小画像を表示部１４に表示してプリント対象となる画像を選択させる等のプリント準備を行い（ステップ３０４）、画像形成制御部１３は、利用者からプリント実行の指示が入力されるまで、利用者が操作入力部１５から入力する各種補正値やプリント枚数、プリント対象画像の選択等の指示を受け付けて設定する（ステップ３０５、ステップ３０６でＮＯ）。
【００６６】
そして、利用者が操作入力部１５からプリントの実行指示を入力すると（ステップ３０６でＹＥＳ）、画像形成制御部１３は、補正等の処理を施した画像データを画像形成部１７へ渡して、画像形成部１７にプリント処理を実行させる（ステップ３０７）。
【００６７】
プリント処理が終了すると、画像形成制御部１３は、プリント処理の際に利用した属性設定やプリント対象となった画像データを特定する情報等のいずれかまたはその複数の情報を、既に処理内容記憶部１６に識別情報２０と関連付けられて記憶されている処理情報に追加して記憶し（ステップ３０８）、処理を終了する。
【００６８】
この構成によれば、利用者は、過去に設定した履歴を参照し、所望の設定があった場合に、その設定を再利用することができる。
【図面の簡単な説明】
【００６９】
【図１】本発明を適用した画像形成装置の機能的な構成を示すブロック図である。
【図２】画像形成装置１の動作の流れを示すフローチャートである。
【図３】実施例２における画像形成装置１の動作の流れを示すフローチャートである。
【図４】実施例２における条件選択画面の表示例を示した図である。
【図５】実施例３における画像形成装置１の動作の流れを示すフローチャートである。
【図６】実施例３における条件選択画面の表示例を示した図である。
【符号の説明】
【００７０】
１    画像形成装置
２    メディア
１０    メディア処理部
１１    画像データ取得部
１２    識別情報取得部
１３    画像形成制御部
１４    表示部
１５    操作入力部
１６    処理内容記憶部
１７    画像形成部
２５０    画面
２５１    選択肢
２５２    選択肢
２６０    画面
２６１    選択肢
２６２    選択肢
２６３    選択肢
３５０    画面
３５１    選択肢
３５２    選択肢
３５３    選択肢
３５４    選択肢
【図１】
2006082509.tif 000003
【図２】
2006082509.tif 000004
【図３】
2006082509.tif 000005
【図４】
2006082509.tif 000006
【図５】
2006082509.tif 000007
【図６】
2006082509.tif 000008